(57)【要約】【課題】小形化を図る。【解決手段】画像表示構造体２が前面および側面を閉鎖し後面を開口した角筒状の容器３の裏側から容器３の内部に挿入され容器３の内部前側に止ねじ５１で取り付けられ、バックライト回路基板９が容器３の裏側から容器３の内部に挿入されて画像表示構造体２の裏側における容器３の内部中間に止ねじ６１で取り付けられ、画像表示構造体２を電気的に制御する制御回路基板４が容器３の裏側から容器３の内部に挿入されてバックライト回路基板９の裏側における容器３の内部裏側に止ねじ７３で取り付けられ、蓋５が制御回路基板４を覆い隠すように容器３の裏側に取り付けられ、画像表示構造体２とバックライト回路基板９と制御回路基板４が長さの短い電線１６；１９；５８で接続され、容器３と蓋５とからなる筐体の内部には、短い電線１６；１９；５８を収容する場所が必要なだけで、画像表示装置１が小形化できる。【選択図】図１
2007050152.tif 000002
【特許請求の範囲】
【請求項１】
画像表示構造体が前面および側面を閉鎖し後面を開口した角筒状の容器の裏側から容器の内部に挿入され、止ねじが容器の裏側から画像表示構造体を貫通して容器に締結されることによって、画像表示構造体が容器の内部前側に取り付けられ、画像表示構造体を電気的に制御する制御回路基板が容器の裏側から容器の内部に挿入されて画像表示構造体の裏側に配置され、止ねじが容器の裏側から制御回路基板を貫通して容器に締結されることによって、制御回路基板が容器の内部裏側に取り付けられ、蓋が容器の裏側に取り付けられたことを特徴とする遊技画像表示装置。
【請求項２】
画像表示構造体および制御回路基板がコネクタを備え、被覆電線がコネクタを備え、被覆電線のコネクタが画像表示構造体および制御回路基板のコネクタに機械的に嵌め込まれて電気的に接続されることによって、画像表示構造体および制御回路基板が互いに接続されたことを特徴とする請求項１記載の遊技画像表示装置。
【請求項３】
画像表示構造体のバックライトを電気的に駆動するバックライト回路基板が画像表示構造体と制御回路基板との間に配置され、止ねじが容器の裏側からバックライト回路基板を貫通して容器に締結されることによって、バックライト回路基板が容器の内部中間に取り付けられたことを特徴とする請求項１記載の遊技画像表示装置。
【請求項４】
容器が蓋係合部および蓋止部を備え、蓋が容器係合部および容器止部を備え、容器係合部と蓋係合部とが互いに嵌め合わされ、蓋止部と容器止部とが互いに嵌め合わされることによって、蓋が容器に取り付けられたことを特徴とする請求項１記載の遊技画像表示装置。
【発明の詳細な説明】
【技術分野】
【０００１】
本発明は、小形化が容易な遊技画像表示装置に関する。
【背景技術】
【０００２】
遊技画像表示装置には、次のような構造のものが知られている。それは、２つの容器がヒンジで連結され、一方の容器には面状表示器および駆動回路基板が装着され、他方の容器には制御回路基板が装着され、面状表示器および駆動回路基板と制御回路基板とが互いに被覆電線で接続され、２つの容器が閉じられて面状表示器と駆動回路基板と制御回路基板および被覆電線を収容した１つの筐体を構成している。しかしながら、２つの容器がヒンジを中心として開ききることができるように、面状表示器および駆動回路基板と制御回路基板とを接続する被覆電線が長くなっている。そして、２つの容器が閉じられる場合、被覆電線が２つの容器で挟まれないように、筐体の内部には長い被覆電線を収容する場所が必要であり、遊技画像表示装置が大形にならざるを得ないという欠点がある。
【特許文献１】特許第３４６２２３３号公報
【発明の開示】
【発明が解決しようとする課題】
【０００３】
発明が解決しようとする問題点は、遊技画像表示装置を小形化できないという点である。
【課題を解決するための手段】
【０００４】
本発明に係る遊技画像表示装置は、画像表示構造体が前面および側面を閉鎖し後面を開口した角筒状の容器の裏側から容器の内部に挿入され、止ねじが容器の裏側から画像表示構造体を貫通して容器に締結されることによって、画像表示構造体が容器の内部前側に取り付けられ、画像表示構造体を電気的に制御する制御回路基板が容器の裏側から容器の内部に挿入されて画像表示構造体の裏側に配置され、止ねじが容器の裏側から制御回路基板を貫通して容器に締結されることによって、制御回路基板が容器の内部裏側に取り付けられ、蓋が容器の裏側に取り付けられたことを最も主要な特徴とする。画像表示構造体および制御回路基板がコネクタを備え、被覆電線がコネクタを備え、被覆電線のコネクタが画像表示構造体および制御回路基板のコネクタに機械的に嵌め込まれて電気的に接続されることによって、画像表示構造体および制御回路基板が互いに接続されたり、または、画像表示構造体のバックライトを電気的に駆動するバックライト回路基板が画像表示構造体と制御回路基板との間に配置され、止ねじが容器の裏側からバックライト回路基板を貫通して容器に締結されることによって、バックライト回路基板が容器の内部中間に取り付けられたり、容器が蓋係合部および蓋止部を備え、蓋が容器係合部および容器止部を備え、容器係合部と蓋係合部とが互いに嵌め合わされ、蓋止部と容器止部とが互いに嵌め合わされることによって、蓋が容器に取り付けられたりしてもよい。
【発明の効果】
【０００５】
本発明に係る遊技画像表示装置は、容器と蓋とが筐体を形成し、画像表示構造体が筐体の内部前側に取り付けられ、制御回路基板が画像表示構造体の裏側に位置するように筐体の内部裏側に取り付けられ、画像表示構造体および制御回路基板が互いに容器の内部における被覆電線で接続されているので、当該被覆電線の長さが最も短くでき、被覆電線が蓋と容器とで挟まれることがなく、筐体の内部には短い被覆電線を収容する場所が必要なだけであるうえ、筐体の前面の開口を塞ぐ前壁が画像表示構造体の表示画面を保護するパネルを構成するので、遊技画像表示装置が小形化できるという利点がある。被覆電線のコネクタが画像表示構造体および制御回路基板のコネクタに機械的に嵌め込まれて電気的に接続されることによって、画像表示構造体および制御回路基板が互いに接続されれば、被覆電線のコネクタと画像表示構造体および制御回路基板のコネクタとを容器の裏側から取り外すことができるという利点がある。画像表示構造体のバックライトを電気的に駆動するバックライト回路基板が画像表示構造体と制御回路基板との間に配置され、止ねじが容器の裏側からバックライト回路基板を貫通して容器に締結されることによって、バックライト回路基板が容器の内部中間に取り付けられれば、画像表示構造体とバックライト回路基板との接続が容易であるという利点がある。蓋係合部と容器係合部とが互いに嵌め合わされ、蓋止部と容器止部とが互いに嵌め合わされることによって、蓋が容器に取り付けられれば、止ねじのような締結具が不要となるという利点がある。
【発明を実施するための最良の形態】
【０００６】
図１乃至図７は、発明を実施するための最良の形態である。図１は、遊技画像表示装置１の縦方向に切断した断面を示す。図２は、遊技画像表示装置１を分解して示す。図３は、画像表示構造体２および容器３を分解して示す。図４は、容器３と制御回路基板４およびバックライト回路基板９を分解して示す。図５は、容器３と蓋５とを分解して示す。図６は、組み立てられた遊技画像表示装置１を裏側から示す。図７は、遊技画像表示装置１の取り付けられた遊技盤８６を裏側から示す。本明細書において、「前」、「後」、「裏」、「左」、「右」、「上」、「下」の方向は、図７の状態に遊技画像表示装置１および遊技盤８６を置いて矢印Ａで示す前側から見た場合に特定される方向である。「後」と「裏」とは同じ方向である。
【０００７】
図１および図２を参照し、遊技画像表示装置１の構造について説明する。遊技画像表示装置１は、画像表示構造体２が前面および側面を閉鎖し後面を開口した角筒状の容器３の裏側から容器３の内部に挿入され、タッピングスクリューのような止ねじ５１が容器３の裏側から画像表示構造体２を貫通して容器３に締結されることによって、画像表示構造体２が容器３の内部前側に取り付けられ、画像表示構造体２のバックライトを電気的に駆動するバックライト回路基板９が容器３の裏側から容器３の内部に挿入されて画像表示構造体２の裏側に配置され、タッピングスクリューのような止ねじ６１が容器３の裏側からバックライト回路基板９を貫通して容器３に締結されることによって、バックライト回路基板９が容器３の内部中間に取り付けられ、画像表示構造体２を電気的に制御する制御回路基板４が容器３の裏側から容器３の内部に挿入されてバックライト回路基板９の裏側に配置され、タッピングスクリューのような止ねじ７３が容器３の裏側から制御回路基板４を貫通して容器３に締結されることによって、制御回路基板４が容器３の内部裏側に取り付けられ、蓋５が制御回路基板４を覆い隠すように容器３の裏側に取り付けられることによって、遊技画像表示装置１が構成される。
【０００８】
とりわけ、図１に示すように、遊技画像表示装置１は、容器３と蓋５とが筐体を形成し、面状表示器７およびユニットフレーム８からなる画像表示構造体２が筐体の内部前側に取り付けられ、バックライト回路基板９が画像表示構造体２の裏側に位置して筐体の内部中間に取り付けられ、制御回路基板４がバックライト回路基板９の裏側に位置して筐体の内部裏側に取り付けられ、画像表示構造体２におけるバックライト引出線１６のコネクタ１７がバックライト回路基板９のコネクタ５５に機械的に嵌め込まれて電気的に接続されたことによって、面状表示器７とバックライト回路基板９とが互いに配線で接続され、画像表示構造体２のコネクタ１８および制御回路基板４のコネクタ６７には、表示制御電線１９のコネクタ２０；２１が個別に機械的に嵌め込まれて電気的に接続されたことによって、制御回路基板４と面状表示器７とが互いに配線で接続され、バックライト回路基板９のコネクタ５６および制御回路基板４のコネクタ６６には被覆電線５８のコネクタ５９；６０が個別に機械的に嵌め込まれて電気的に接続されたことによって、制御回路基板４とバックライト回路基板９とが互いに配線で接続された態様である。つまり、蓋５が容器３に対し開けられたり、蓋５が容器３に対し閉じられたりすることができるように、筐体の内部に収容されるバックライト引出線１６や被覆電線５８が長くなく短くなっている。そして、蓋５が容器３に対し閉じられる場合、バックライト引出線１６や表示制御電線１９および被覆電線５８が容器３と蓋５とで挟まれることがなく、筐体の内部には短いバックライト引出線１６や短い表示制御電線１９および短い被覆電線５８を収容する場所が必要なだけであるので、遊技画像表示装置１が小形化できるという利点がある。画像表示構造体２が前面および側面を閉鎖し後面を開口した角筒状の容器３の裏側から容器３の内部に挿入されているので、容器３における前面を塞ぐ前壁４７が、面状表示器７の表示画面１０を遊技盤８６の遊技領域を流下する球の衝突から保護するためのパネルを構成するので、遊技画像表示装置１が小形化できるという利点がある。
【０００９】
図３を参照し、画像表示構造体２の構造、容器３の構造、画像表示構造体２の容器３への組立方について説明する。画像表示構造体２の構造について説明すると、画像表示構造体２は、面状表示器７、ユニットフレーム８などの構成部品を備える。そして、面状表示器７がユニットフレーム８に装着されることによって、画像表示構造体２が構成される。つまり、画像表示構造体２が面状表示器７をユニットフレーム８に装着した構造であるので、画像表示構造体２の運搬や保管が容易であるという利点がある。面状表示器７は、電気的に表示形態の変えられる画像を前面側の方形な表示画面１０に表示する、液晶表示器またはプラズマディスプレイなどから構成される。最良の形態は、面状表示器７として液晶表示器を採用した場合であって、液晶表示器の表示画面１０を全体的に照明するための、バックライトや導光部材および光拡散部材などからなるバックライト構成部材は、面状表示器７に含まれる。
【００１０】
面状表示器７には、面状表示器７をユニットフレーム８に固定するための取付部１１が、面状表示器７の左右端部に２箇所ずつ設けられる。取付部１１は、前側凹部１２と裏側凹部１３との間に存在する隔壁１４に前後方向への貫通孔として形成されたねじ挿入孔１５を備える。前側凹部１２は、面状表示器７の前面および端面に開口し、面状表示器７の前面から内部への窪みとして形成される。裏側凹部１３は、面状表示器７の裏面および端面に開口し、面状表示器７の裏面から内部への窪みとして形成される。面状表示器７の左右方向の一端部には、面状表示器７から外部に延びた被覆電線からなるバックライト引出線１６が２本設けられる。バックライト引出線１６の端部にはコネクタ１７が設けられる。面状表示器７の裏面には、制御用のコネクタ１８が設けられる。コネクタ１８には、フラットケーブルのような被覆電線からなる表示制御電線１９の一端に設けられたコネクタ２０が接続される。表示制御電線１９の他端にもコネクタ２１が設けられる。
【００１１】
ユニットフレーム８は、鉄板のような金属板により、フレーム基盤２３、左側壁２４、右側壁２５、上側壁２６、下側壁２７、画像視認開口部２８、表示取付部２９、表示位置決め部３０；３１を一体に備えた構造に構成される。フレーム基盤２３は、面状表示器７の前面よりも大きな方形である。左側壁２４、右側壁２５、上側壁２６、下側壁２７は、フレーム基盤２３の４つの周縁から裏側に直角に折り曲げられる。これによって、フレーム基盤２３の裏側には、面状表示器７を収容するための収容部が、裏側に開口し、フレーム基盤２３、左側壁２４、右側壁２５、上側壁２６、下側壁２７で囲まれた形状として形成される。画像視認開口部２８は、面状表示器７の前面よりも小さな方形であって、フレーム基盤２３に、前後方向への貫通孔として設けられる。
【００１２】
表示取付部２９および表示位置決め部３０は、フレーム基盤２３に設けられる。表示取付部２９は、画像視認開口部２８よりも左側および右側に位置し、フレーム基盤２３の左右端部に２個ずつ設けられる。表示取付部２９は、フレーム基盤２３から裏側に直角に折り曲げられた突片の後部が右側に直角に折り曲げられた形態である。よって、表示取付部２９は、フレーム基盤２３よりも裏側に離れてフレーム基盤２３と平行である。表示取付部２９には、面状表示器７を固定するためのねじ挿入孔３４が、前後方向への貫通孔として形成される。フレーム基盤２３には、表示取付部２９を加工した後の残渣孔３５が形成される。表示位置決め部３０は、左側壁２４の後縁部から左側に直角に折り曲げられた形態である。表示位置決め部３１は、右側壁２５の後縁部から右側に直角に折り曲げられた形態である。
【００１３】
容器３の構造について説明すると、容器３は、無色な合成樹脂のような光を透過する性質の有る材料により、角筒体３７、ユニット取付部３８、ライト基板取付部３９、制御基板取付部４０、コネクタ収容部４１、リブ４２、蓋係合部４３、蓋止部４４、突起４５、固着具取付部４６を一体に備えた形状に構成される。角筒体３７は、前面および側面が塞がれ、後面が開口した、箱形である。ユニット取付部３８は、画像表示構造体２を固定するための部分であって、角筒体３７の内部に対し左右に２個ずつ設けられ、角筒体３７の前面を塞ぐ前壁４７の裏面から裏側に筒状に突出する。ライト基板取付部３９は、図１のバックライト回路基板９を固定するための部分であって、ユニット取付部３８よりも右側に位置し、角筒体３７の内部に対し右側に２個設けられ、前壁４７の裏面から裏側に筒状に突出する。制御基板取付部４０は、図１の制御回路基板４を固定するための部分であって、ユニット取付部３８よりも右側および左側に位置し、角筒体３７の内部に対し左右に２個ずつ設けられ、前壁４７の裏面から裏側に筒状に突出する。コネクタ収容部４１は、前壁４７の左側部に前後方向への貫通孔として設けられる。
【００１４】
リブ４２は、角筒体３７の上側および下側に位置する側壁から内側に突出し、前後方向に長い突条として形成される。角筒体３７の側壁には、放熱孔４８が設けられる。蓋係合部４３および蓋止部４４は、図１の蓋５を固定するための部分である。蓋係合部４３は、角筒体３７の下側壁に、上下方向への貫通孔として、左右に設けられる。蓋止部４４は、角筒体３７の上側壁に、上下方向への貫通孔として、中央に設けられる。突起４５および固着具取付部４６は、遊技画像表示装置１を図１の遊技盤８６の裏面に取り付けるための部分である。突起４５は、角筒体３７の上側壁および下側壁の右側に位置し、上側壁および下側壁から外側に突出する。固着具取付部４６は、角筒体３７の上側壁および下側壁の左側に位置し、上側壁および下側壁から外側に突出する。固着具取付部４６には、固着具４９が設けられる。遊技画像表示装置１を遊技盤８６に取り付けるための取付構造については、図７で後述する。角筒体３７の上側壁には、囲い収容部５０が、角筒体３７の裏面および上下方向に開口し、上側壁の裏面から内部への窪みとして設けられる。
【００１５】
画像表示構造体２は、容器３に、次のように組み立てられる。ユニットフレーム８のフレーム基盤２３の前面が容器３の前壁４７の裏面の側に向けられ、ユニットフレーム８が容器３の裏側から収容部に取り込まれ、残渣孔３５がユニット取付部３８の上に搭載される。また、面状表示器７の表示画面１０がフレーム基盤２３の裏面の側に向けられ、２本のバックライト引出線１６が右側に配置され、面状表示器７が容器３の裏側からユニットフレーム８の収容部に取り込まれ、面状表示器７の前側凹部１２が表示取付部２９の上に被せられて搭載され、面状表示器７の表示画面１０が画像視認開口部２８と対向し、面状表示器７における表示画面１０の周囲の前面がフレーム基盤２３の裏面に接触して重ね合わされ、バックライト引出線１６および表示制御電線１９が容器３の外側に引き出される。そして、タッピングスクリューのような止ねじ５１が、容器３の裏側から、ねじ挿入孔１５、ねじ挿入孔３４を順に経由し、ユニット取付部３８に個別に締結されることによって、画像表示構造体２が容器３の内部前側に容器３の裏側から取り付けられる。面状表示器７およびユニットフレーム８を容器３に別々に挿入したが、面状表示器７およびユニットフレーム８を互いに組み合わせた状態で容器３に挿入してもよい。
【００１６】
図４を参照し、バックライト回路基板９の構造、制御回路基板４の構造、バックライト回路基板９および制御回路基板４の容器３への組立方について説明する。バックライト回路基板９の構造について説明すると、バックライト回路基板９は、制御回路基板４から供給される電力で図３の面状表示器７のバックライトを駆動して点灯させる部品であって、電圧変換部品５４やコネクタ５５；５６などの電気部品がプリント基板のような回路基板の表面に実装され、電圧変換部品５４やコネクタ５５；５６などの電気部品の電気端子が回路基板の裏側に突出し、電気端子が回路基板に敷設されたプリント電線と呼ばれる箔状電線で相互に配線され、バックライト回路基板９を容器３に固定するためのねじ挿入孔５７が回路基板に前後方向への貫通孔として設けられる。コネクタ５６には、被覆電線５８の一端に設けられたコネクタ５９が裏側から接続される。被覆電線５８の他端にはコネクタ６０が設けられる。
【００１７】
バックライト回路基板９は、容器３に、次のように組み立てられる。バックライト回路基板９の裏面が容器３に取り付けられた画像表示構造体２の裏面の側に向けられ、バックライト回路基板９が容器３の裏側からライト基板取付部３９に搭載され、タッピングスクリューのような止ねじ６１がバックライト回路基板９のねじ挿入孔５７からライト基板取付部３９に締結されることによって、バックライト回路基板９が画像表示構造体２の裏側に位置し、ライト基板取付部３９に取り付けられる。この場合、バックライト引出線１６は、バックライト回路基板９と右側壁２５との間から容器３の外側に引き出される。
【００１８】
制御回路基板４の構造について説明する。制御回路基板４は、遊技機に搭載された電源装置から供給される電力で起動して制御処理を実行する部品であって、ＣＰＵ６３、ＩＣソケット６４、ボリューム６５、コネクタ６６；６７；６８などの電気部品がプリント基板のような回路基板の表面に実装され、ＩＣソケット６４、ボリューム６５、コネクタ６６乃至６８などの電気部品の電気端子が回路基板の裏側に突出し、電気端子が回路基板に敷設されたプリント電線と呼ばれる箔状電線で相互に配線され、コネクタ６９が回路基板の裏面に実装され、コネクタ６９の電気端子が回路基板の表側に突出し、電気端子が回路基板に敷設されたプリント電線と呼ばれる箔状電線でＩＣソケット６４、ボリューム６５、コネクタ６６乃至６８などの電気部品に配線され、ねじ挿入孔７０や配線孔７１；７２が回路基板に前後方向への貫通孔として設けられる。ねじ挿入孔７０は、制御回路基板４を容器３に固定するための部分である。ＣＰＵ６３は、ＩＣソケット６４に機械的に嵌め込まれて電気的に接続される。
【００１９】
制御回路基板４は、容器３に、次のように組み立てられる。制御回路基板４の裏面が容器３の裏面の側に向けられ、制御回路基板４が角筒体３７の内部に挿入され、制御回路基板４のねじ挿入孔７０が容器３の制御基板取付部４０に個別に対応し、コネクタ６９が画像表示構造体２と左側壁２４との間を経由してコネクタ収容部４１に挿入される。この場合、表示制御電線１９が配線孔７１から容器３の裏側に引き出されるので、表示制御電線１９が容器３の上側壁と制御回路基板４との間に挟まれることがなく、容器３の上側壁と制御回路基板４との間に表示制御電線１９を通すための隙間を設ける必要がなく、容器３の前後方向の外形寸法を小さくすることができるという利点がある。また、被覆電線５８が配線孔７２から容器３の裏側に引き出されるので、被覆電線５８が容器３の右側壁と制御回路基板４との間に挟まれることがなく、容器３の右側壁と制御回路基板４との間に被覆電線５８を通すための隙間を設ける必要がなく、容器３の左右方向の外形寸法を小さくすることができるという利点がある。そして、タッピングスクリューのような止ねじ７３が容器３の裏側からねじ挿入孔７０を経由して制御基板取付部４０に個別に締結されることによって、制御回路基板４が容器３の内部裏側に容器３の裏側から取り付けられる。その後、表示制御電線１９のコネクタ２１が制御回路基板４のコネクタ６７に裏側から接続され、被覆電線５８のコネクタ６０が制御回路基板４のコネクタ６６に裏側から接続される。
【００２０】
画像表示構造体２がコネクタ１７；１８を備え、制御回路基板４がコネクタ６６；６９を備え、表示制御電線１９がコネクタ２０；２１を備え、被覆電線５８がコネクタ５９；６０を備え、コネクタ２０がコネクタ１８に機械的に嵌め込まれて電気的に接続され、コネクタ２１がコネクタ６７に機械的に嵌め込まれて電気的に接続され、コネクタ５９がコネクタ５６に機械的に嵌め込まれて電気的に接続され、コネクタ６０がコネクタ６６に機械的に嵌め込まれて電気的に接続されることによって、画像表示構造体２および制御回路基板４が互いに接続されている。つまり、画像表示構造体２および制御回路基板４が互いに容器３の内部における表示制御電線１９および被覆電線５８で接続されているので、表示制御電線１９と被覆電線５８の長さが最も短くできるという利点がある。そして、表示制御電線１９と被覆電線５８が容器３と蓋５とで挟まれることがなく、容器３と蓋５とからなる筐体の内部には短い表示制御電線１９と被覆電線５８を収容する場所が必要なだけであるので、遊技画像表示装置１が小形化できるという利点がある。
【００２１】
図５参照し、蓋５の構造、蓋５の容器３への取付構造について説明する。蓋５は、無色な合成樹脂のような光を透過する性質の有る材料により、蓋基盤７５、容器係合部７６、容器止部７７、コネクタ囲い部７８を一体に備えた形状に構成される。蓋基盤７５は、角筒体３７の裏側端面に搭載されることによって、角筒体３７の裏側の開口を全体的に覆い隠す部分である。容器係合部７６は、蓋基盤７５に対し左右に設けられ、蓋基盤７５の下縁部から前側に突出した弾性支持片７９と、弾性支持片７９の前端部から下側に突出したフック８０とを備える。容器止部７７は、蓋基盤７５に対し中央に設けられ、蓋基盤７５の上縁部から前側に突出した後に裏側に折り返された弾性支持片８１と、弾性支持片８１の後端部から上側に突出したフック８２とを備える。コネクタ囲い部７８は、蓋基盤７５に対し中央に設けられ、凹部８３および周壁８４を備える。凹部８３は、前後方向および下側に開口し、蓋基盤７５の下縁部から内部への窪みとして形成される。周壁８４は凹部８３の３つの縁部から前側に突出する。
【００２２】
蓋５の容器３への組付方について説明する。蓋５の前面が容器３の裏面の側に向けられ、蓋５が容器３の裏側から角筒体３７に近づけられ、コネクタ囲い部７８の周壁８４が囲い収容部５０に挿入され、容器係合部７６が蓋係合部４３と対応するように角筒体３７の内部に挿入され、フック８０が角筒体３７の内部から蓋係合部４３に嵌め込まれ、容器止部７７が蓋止部４４と対応するように角筒体３７の内部に挿入され、フック８２が角筒体３７の内部から蓋止部４４に嵌め込まれる。これによって、蓋基盤７５の周縁部が角筒体３７の裏側端面に接触して搭載されて角筒体３７の裏側の開口を全体的に覆い隠し、蓋５が容器３に取り付けられる。蓋係合部４３と容器係合部７６とが互いに嵌め合わされ、蓋止部４４と容器止部７７とが互いに嵌め合わされることによって、蓋５が容器３に取り付けられているので、止ねじのような締結具が不要となるという利点がある。
【００２３】
図６を参照し、制御回路基板４が容器３に取り付けられ、蓋５が容器３に取り付けられた場合における、遊技画像表示装置１の裏側からの外観について説明すると、制御回路基板４のコネクタ６８が蓋５のコネクタ囲い部７８に配置されて遊技画像表示装置１の外部に露出する。
【００２４】
図７を参照し、遊技画像表示装置１が遊技盤８６に取り付けられるための取付構造について説明する。遊技盤８６の裏面には、第１取付台８７および第２取付台８８が止ねじのような取付具で遊技盤８６の裏側から取り付けられる。遊技盤８６は、遊技盤８６の前面における図外のガイドレールで囲まれた内側の遊技領域に入賞部品を備え、遊技領域から入賞部品に取り込まれたパチンコ球と呼ばれる球を遊技盤８６の裏側に排出する構造である。第１取付台８７は、セット板とも呼ばれ、入賞部品から遊技盤８６の裏側に排出された球を下方に誘導して排出する機能を備える。遊技盤８６および第１取付台８７には、図柄視認窓８９が、前後方向への貫通孔として形成される。図柄視認窓８９の周りの第１取付台８７の裏面には、部品係合部９０および部品固定部９１が設けられる。第２取付台８８は、主制御装置と呼ばれる遊技制御装置９２を第１取付台８７から裏側に離れて設置させる構造体であって、第１取付台８７の裏面に、止ねじのような取付具で取り付けられる。遊技制御装置９２は、第２取付台８８の裏面に設置される。遊技制御装置９２は、入力側のコネクタ９３および出力側のコネクタ９４を備える。遊技制御装置９２が第２取付台８８に取り付けられる場合、コネクタ９３が第２取付台８８に設置されたコネクタ９５に接続される。
【００２５】
遊技画像表示装置１は、第１取付台８７に次のように取り付けられる。図３の表示画面１０が遊技盤８６の裏面の側に向けられるように、遊技画像表示装置１の前面が遊技盤８６の裏面の側に向けられ、突起４５が遊技盤８６の裏側から部品係合部９０に嵌め込まれ、突起４５と部品係合部９０との嵌め込まれた部分を中心とし、遊技画像表示装置１が前側に移動されると、固着具４９が筒状の部品固定部９１の内部に挿入され、固着具取付部４６が部品固定部９１の裏面に接触する。そして、固着具４９が人によって前側に押し込まれると、コネクタ６９が第１取付台８７に設けられた図外の電源供給のコネクタに接続され、固着具４９の先端部に装着された図外の爪部材が径方向外側に広がって部品固定部９１の内部に係合し、遊技画像表示装置１が第１取付台８７の裏面に固定的に取り付けられる。その後、フラットケーブルのような被覆電線からなる遊技制御電線９６の一端に設けられたコネクタ９７が遊技制御装置９２のコネクタ９４に接続され、遊技制御電線９６の他端に設けられたコネクタ９８が遊技画像表示装置１のコネクタ８０に接続される。
【産業上の利用可能性】
【００２６】
面状表示器７がバックライトを必要としないものであれば、バックライト回路基板９は必要ない。蓋５はヒンジで開閉可能に容器３に連結してもよい。コネクタ６９が第１取付台８７に設けられた図外の電源供給の被覆電線に設けられたコネクタに接続されてもよい。容器３は、前後方向に貫通する角筒体と、角筒体に設けれられて前面の開口を塞ぐ前壁とを備え、角筒体が有色の合成樹脂または金属により構成され、前壁が光を透過する性質の有る無色の合成樹脂で構成されてもよい。
【図面の簡単な説明】
【００２７】
【図１】遊技画像表示装置の縦断面図（最良の形態）。
【図２】遊技画像表示装置の分解斜視図（最良の形態）。
【図３】画像表示構造体および容器の分解斜視図（最良の形態）。
【図４】バックライト回路基板、制御回路基板、容器の分解斜視図（最良の形態）。
【図５】容器と蓋との分解斜視図（最良の形態）。
【図６】組み立てられた遊技画像表示装置の斜視図（最良の形態）。
【図７】遊技画像表示装置の取り付けられた遊技盤の背面図（最良の形態）。
【符号の説明】
【００２８】
１  遊技画像表示装置、２  画像表示構造体、３  容器、４  制御回路基板、５  蓋、
７  面状表示器、８  ユニットフレーム、９  バックライト回路基板、
１６  バックライト引出線、１７  コネクタ、１８  コネクタ、１９  表示制御電線、
２０  コネクタ、２１  コネクタ、４３  蓋係合部、４４  蓋止部、５１  止ねじ、
５５  コネクタ、５６  コネクタ、５８  被覆電線、５９  コネクタ、６０  コネクタ、６１  止ねじ、７３  止ねじ、７８  コネクタ、７９  弾性支持片、７６  容器係合部、
７７  容器止部
【図１】
2007050152.tif 000003
【図２】
2007050152.tif 000004
【図３】
2007050152.tif 000005
【図４】
2007050152.tif 000006
【図５】
2007050152.tif 000007
【図６】
2007050152.tif 000008
【図７】
2007050152.tif 000009